(57)【要約】【課題】  回路基板が固定されるために発生する不都合を防止すること【解決手段】  モータ基板ボックス２００を直交位置にしたときには係合突起２１７と係合穴２３４ａとが係合する。この状態で、モータ基板ボックス２００を時計回りに回せば、保持腕２２２が弾性変形して係合突起２１７と係合穴２３４ａとの係合が解除される。その後、モータ基板ボックス２００を回して係合突起２１７が係合穴２３４ｂ、２３４ｃ、２３４ｄ、２３４ｅのいずれかと係合させることで、係合穴２３４ｂ、２３４ｃ、２３４ｄ、２３４ｅに対応した位置でモータ基板ボックス２００を拘束できる。モータ基板ボックス２００の取付角度を変化させることができるので、モータ基板ボックス２００の取付角度が固定されている場合に生じるさまざまな不都合を防止できる。【選択図】  図１１
2005021721.tif 000002
【特許請求の範囲】
【請求項１】
弾球遊技機の本体側に固定される保持部材と、回路基板を収容し前記保持部材を介して前記弾球遊技機の本体側に取付けられる基板ボックスとを有する弾球遊技機の基板取付構造において、
前記保持部材と前記基板ボックスの一方に回動軸を設け他方には該回動軸を回動自在に挿通させる軸受部を設けて、前記基板ボックスを前記回動軸を中心として回動可能とし、
さらに、拘束操作されると前記基板ボックスを拘束し、解除操作されると該拘束を解除して前記基板ボックスの回動を許す拘束手段であり、
前記回路基板の延長面が前記遊技盤面または遊技盤面の延長面とほぼ直交する直交位置、前記平行位置および該直交位置と平行位置との間の中間位置で前記基板ボックスを拘束可能な拘束手段を備えた
ことを特徴とする弾球遊技機の基板取付構造。
【請求項２】
請求項１記載の弾球遊技機の基板取付構造において、
前記保持部材には互いに対面する一対の保持腕が設けられ、
該保持腕には前記回動軸が立設され、また前記回動軸を中心とする約９０度の円弧の一端に位置する直交位置係合穴と、前記円弧の他端に位置する平行位置係合穴と、前記円弧に沿って前記直交位置係合穴と前記平行位置係合穴との間に配された中間係合穴とが設けられ、
前記係合突起を、前記直交位置係合穴に係合させると前記基板ボックスが前記直交位置に拘束され、前記平行位置係合穴に係合させると前記基板ボックスが前記平行位置に拘束され、前記中間係合穴に係合させると前記基板ボックスが前記中間位置に拘束され、
前記各拘束位置にある前記基板ボックスに回動力を及ぼすと前記保持腕が弾性変形して係合突起と前記各係合穴との係合が解除されて回動可能になる
ことを特徴とする弾球遊技機の基板取付構造。
【請求項３】
請求項１又は２記載の弾球遊技機の基板取付構造において、
前記軸受部を小判状の長穴とし、前記制御基板に実装されたコネクタを臨ませる開口を前記基板ボックスの側面に設け、
前記基板ボックスを前記平行位置にしてから前記長穴の長径方向に沿って移動させることにより前記制御基板に実装されたコネクタを外部のコネクタと連結する構成とした
ことを特徴とする弾球遊技機の基板取付構造。
【発明の詳細な説明】
【技術分野】
【０００１】
本発明は、パチンコ機やアレンジボール式パチンコ機に代表される弾球遊技機の技術分野に属し、詳しくは回路基板を弾球遊技機に取付けるための基板取付構造に関する。
【背景技術】
【０００２】
パチンコ機やアレンジボール式パチンコ機に代表される弾球遊技機では、例えば遊技盤に装着された可変入賞装置等の動作を制御するための遊技制御基板（メイン基板）、弾球遊技機と外部（ホールコンピュータ等）との配線を中継するための外部中継基板、発射装置のモータの動作を制御するための発射制御基板等、さまざまな回路基板が取付けられている。
【０００３】
従来、これらの基板は、弾球遊技機の本体側に固定された保持部材にボルト等を用いて取付けられていた。
【特許文献１】実開平５−８６３７８号公報
【発明の開示】
【発明が解決しようとする課題】
【０００４】
しかしながら、これらの回路基板は、上述のように固定されるために、ときには他の部品の着脱に際して邪魔になったり、他の部品の配置を制限することもあった。本発明は、このような不都合を防止することを目的としている。
【課題を解決するための手段】
【０００５】
上記課題を解決するための請求項１記載の弾球遊技機の基板取付構造は、弾球遊技機の本体側に固定される保持部材と、回路基板を収容し前記保持部材を介して前記弾球遊技機の本体側に取付けられる基板ボックスとを有する弾球遊技機の基板取付構造において、前記保持部材と前記基板ボックスの一方に回動軸を設け他方には該回動軸を回動自在に挿通させる軸受部を設けて、前記基板ボックスを前記回動軸を中心として回動可能とし、さらに、拘束操作されると前記基板ボックスを拘束し、解除操作されると該拘束を解除して前記基板ボックスの回動を許す拘束手段であり、前記回路基板の延長面が前記遊技盤面または遊技盤面の延長面とほぼ直交する直交位置、前記平行位置および該直交位置と平行位置との間の中間位置で前記基板ボックスを拘束可能な拘束手段を備えたので、基板ボックスすなわち回路基板の取付角度を、例えば他の部品の着脱に際して邪魔にならない角度や他の部品の配置を制限しない角度に変化させることができる。よって、基板ボックスの取付角度が固定されている場合に生じるさまざまな不都合を防止できる。
【０００６】
保持部材は、例えば弾球遊技機の各種の枠部材や遊技盤の裏面等に固定されてもよいし、例えば発射装置のベース板のように枠部材等に固定される部材に固定されてもよい。基板ボックスは回路基板を収容するが、回路基板の一部例えばコネクタとその周辺部分が露出していても構わない。
【０００７】
回動軸とこれを回動自在に挿通させる軸受部は、例えば保持部材に凹陥部を設けてこれを軸受部とし、基板ボックスに凸部を設けてこれを回動軸とすることで、一方が保持部材に他方が基板ボックスに設けられる。
【０００８】
拘束手段は、基板ボックスを回動させない（拘束する）状態と回動を許す状態とが切換できればよく、その構造に特に限定はない。拘束手段の例としては、保持部材と基板ボックスを共に貫くピンを差し込んで拘束しピンを抜き取って解除する構成、保持部材と基板ボックスの一方に凹みを他方に突起を設けて両者の係合で拘束し係合を外すことで拘束を解除する構成、弾性係止爪による係止にて拘束し係止を外すことで拘束を解除する構成等が挙げられる。
【０００９】
回動軸の芯の方向は特に制限されないが、回動軸の芯を遊技盤面とほぼ平行にするとよい。なお、ここでいう「ほぼ平行」とは、数学的な意味では平行ではないにしても、実用上平行として扱っても差し支えない程度ということである。
【００１０】
また、前記拘束手段は、前記回路基板の延長面が前記遊技盤面または遊技盤面の延長面とほぼ直交する直交位置、前記平行位置および該直交位置と平行位置との間の中間位置で前記基板ボックスを拘束可能とすれば、例えば弾球遊技機の機種、他の部品の配置等に応じて適宜の角度で基板ボックス（回路基板）を取付けできる。なお、中間位置は、１箇所でもよいが、多段階あるいは連続的に変化できる構造とすると一層好適である。また、「ほぼ直交」とは、上述の「ほぼ平行」と同様に、実用上直交として扱っても差し支えない程度をいう。
【００１１】
請求項２の構成は、直交位置、平行位置及び中間位置で基板ボックスを拘束するための構成例である。すなわち、請求項１記載の弾球遊技機の基板取付構造において、
前記保持部材には互いに対面する一対の保持腕が設けられ、
該保持腕には前記回動軸が立設され、また前記回動軸を中心とする約９０度の円弧の一端に位置する直交位置係合穴と、前記円弧の他端に位置する平行位置係合穴と、前記円弧に沿って前記直交位置係合穴と前記平行位置係合穴との間に配された中間係合穴とが設けられ、
前記係合突起を、前記直交位置係合穴に係合させると前記基板ボックスが前記直交位置に拘束され、前記平行位置係合穴に係合させると前記基板ボックスが前記平行位置に拘束され、前記中間係合穴に係合させると前記基板ボックスが前記中間位置に拘束され、
前記各拘束位置にある前記基板ボックスに回動力を及ぼすと前記保持腕が弾性変形して係合突起と前記各係合穴との係合が解除されて回動可能になる
構成にすれば、中間係合穴の個数次第で中間位置の箇所数が決まる。
【００１２】
また、請求項３記載のように、請求項１又は２記載の弾球遊技機の基板取付構造において、
前記軸受部を小判状の長穴とし、前記制御基板に実装されたコネクタを臨ませる開口を前記基板ボックスの側面に設け、
前記基板ボックスを前記平行位置にしてから前記長穴の長径方向に沿って移動させることにより前記制御基板に実装されたコネクタを外部のコネクタと連結する構成とすれば、制御基板に実装されたコネクタに例えばフラットケーブル等を接続する必要はなくなるので、こうしたフラットケーブル等からのノイズの進入を防止できる。また、フラットケーブル等が不要となることで、配線間違いを防止できるし、コストの低減にもなる。
【発明を実施するための最良の形態】
【００１３】
次に、本発明の実施例および変形例を図面を参照して説明することにより、発明の実施の形態を具体的に説明する。
【実施例１】
【００１４】
図１に示すように、弾球遊技機としてのパチンコ機１０は、長方形状の外枠１２およびヒンジ１４によって外枠１２に開閉可能に取付けられた前面枠１６を外殻となしている。
前面枠１６にはガラス板１７を保持するガラス枠１８と上受皿２０を保持する皿扉２２が、それぞれ開閉可能に取付けられている。ガラス板１７によって覆われる、パチンコ機１０の内部には遊技盤２４が配されており、遊技盤２４に取付けられたガイドレール２６で囲まれる略円形の領域が遊技領域２８とされ、この遊技領域２８に周知の入賞装置、障害釘、風車等（いずれも図示は省略）が設置されている。また、皿扉２２の下方においては、下受皿３０と灰皿３２が一体化された下皿部材３４および発射装置６０（図１には示さない、図２および図３参照）を操作するための発射ハンドル３６が前面枠１６に取付けられている。
【００１５】
図２に示すように、前面枠１６の背面側には機構盤４０が取付けられている。機構盤４０には、賞球タンク４２、整列樋４４、払出装置４６等の賞球払出のための機構が備えられ、外部電源からの電力線やホールコンピュータとのデータ線等が接続される外部中継基板４８を収容している外部基板ボックス５０が取付けられている。また、前面枠１６の背面側の下隅には発射装置６０が取付けられている。
【００１６】
さらに、前面枠１６に保持された遊技盤２４の背面には図柄表示装置２５が取付けられ、遊技盤２４の背面は図柄表示装置２５を除いて球集合盤２７によって覆われている。この球集合盤２７は、入賞球を集めるための樋の働きをするものであり、入賞球は遊技盤２４と球集合盤２７の間に形成される通路によって集合させられる。また、球集合盤２７には、遊技盤２４に装着されている可変入賞装置等の動作を制御するための遊技制御基板１００を収容しているメイン基板ボックス１０２が取付けられている。
【００１７】
図２および図３に示すように、発射装置６０は、発射装置６０を構成する各部を支持するベース板６２、ベース板６２に固定されたモータ６４、モータ６４によって後退駆動され図示しないばねによって前進駆動される打球杵６６、モータ６４を制御するモータ制御基板（図示略）を収容しているモータ基板ボックス６８等を備えている。図３に示すようにベース板６２には複数のボルト孔７０が設けられており、図２に示すように、発射装置
６０はボルト孔７０を貫通するボルト７２によって前面枠１６に固定されている。
【００１８】
図３に示すように、モータ基板ボックス６８は、いずれもプラスチック製の箱部７４と蓋部７６とからなり、箱部７４の上下の面には小判型の回動軸７８（図示は一方のみ）が設けられ、蓋部７６にはモータ制御基板のコネクタ８０が露呈されている。
【００１９】
このモータ基板ボックス６８を保持するための保持部材８２は、互いに対面する一対の保持腕８４、保持腕８４間に配された連結板８６、連結板８６から横方向に延出されたコネクタ保持部８８からなり、ベース板６２に固定された連結部材（図示略）に連結板８６を固定されている。保持腕８４には、回動軸７８の長径に整合する径の軸受部９０が設けられ、回動軸７８の短径に整合する幅の溝９２が軸受部９０から先端にわたって設けられている。また、コネクタ保持部８８の先端部にはコネクタ８０と対になるコネクタ９４が取付けられており、コネクタ９４にはフラットケーブル９６が連結されている。フラットケーブル９６は、電源からの電線、発射ハンドル３６からの電線、モータ６４に向かう電線等から構成されており、コネクタ８０とコネクタ９４が連結されたときには、モータ制御基板がモータ６４の稼働を制御可能となる。
【００２０】
この発射装置６０においては、モータ基板ボックス６８の回動軸７８を、保持腕８４の溝９２にはめて、モータ基板ボックス６８の端面が連結板８６に当たるまで押し込むと、回動軸７８がちょうど軸受部９０内に至る。回動軸７８が軸受部９０内にあれば、回動軸７８を軸としてモータ基板ボックス６８を自在に回動できる。そして、蓋部７６がコネクタ保持部８８に接するまでモータ基板ボックス６８をほぼ９０度回動させると、コネクタ８０とコネクタ９４が連結されるので、その連結によってモータ基板ボックス６８が拘束される。また、コネクタ８０とコネクタ９４の連結を解除すれば、モータ基板ボックス６８を回動させることができる。そして、回動軸７８が溝９２に対応する位置にしてからモータ基板ボックス６８を引けば、モータ基板ボックス６８を保持部材８２から（発射装置６０から）取外すことができる。これらのことから明らかなように、コネクタ８０とコネクタ９４が共同して拘束手段として機能している。
【００２１】
このように、モータ基板ボックス６８の取付角度を変化させることができるので、モータ基板ボックス６８の取付角度が固定されている場合に生じるさまざまな不都合を防止できる。
【００２２】
次に、図４を参照してメイン基板ボックス１０２の取付構造を説明する。
図４に示すように、メイン基板ボックス１０２を保持するための保持部材１０４は一対の支持腕１０６と支持腕１０６間に配された支持基板１０８とからなっている。支持腕１０６には円状の軸受部１１０が設けられ、その軸受部１１０から先端にわたって溝１１２が設けられている。一方、メイン基板ボックス１０２には、軸受部１１０の内径に整合する長径と溝１１２の幅に整合する短径を有する小判状の回動軸（図示略）が設けられており、上述のモータ基板ボックス６８の場合と同様に、メイン基板ボックス１０２の回動軸を、支持腕１０６の溝１１２にはめて押し込むと回動軸が軸受部１１０内に至り、そこで回動軸を軸としてメイン基板ボックス１０２を自在に回動できる。また、回動軸が溝１１２に対応する位置としてからメイン基板ボックス１０２を引けば、メイン基板ボックス１０２を保持部材１０４から取外すことができる。
【００２３】
支持基板１０８の縁には凸部１１４が設けられ、凸部１１４に隣接して係止ピン１１６が取付けられている。一方、メイン基板ボックス１０２には側面から突出する軸ピン１１８が設けられ、その軸ピン１１８には、フック状の係止爪１２０および互いにほぼ反対方向に向かって配された操作部１２２と支点部１２４とを有する拘束部材１２６が、回動自在に取付けられている。さらに、支持基板１０８の先端部にはコネクタ１２８が取付けら
れ、遊技制御基板１００の裏面にはコネクタ１３０が取付けられている。なお、メイン基板ボックス１０２の底面は係止爪１２０およびコネクタ１３０が配されている一部分のみ開放され、他の部分は閉鎖されている。
【００２４】
このような構造であるので、メイン基板ボックス１０２の回動軸を軸受部１１０に入れてメイン基板ボックス１０２を回動し、メイン基板ボックス１０２の底面（すなわち遊技制御基板１００）が遊技盤２４に平行となる位置にした際には、コネクタ１２８とコネクタ１３０が連結されて遊技制御基板１００とパチンコ機１０の各部とが接続される。また、このとき係止爪１２０を係止ピン１１６に係止することができ、支点部１２４は凸部１１４に接触している。この係止爪１２０と係止ピン１１６の係止によってメイン基板ボックス１０２は拘束され回動できなくなる。しかし、操作部１２２に力を加えて図４において時計回り方向に回動させれば係止爪１２０と係止ピン１１６の係止が解除されるから、メイン基板ボックス１０２は回動可能になる。この係止の解除に当たっては、支点部１２４が凸部１１４に当接していることによって、拘束部材１２６が梃子として働くから、わずかな力で係止を解除できる。
【００２５】
このような取付構造を採用しているので、メイン基板ボックス１０２を取付ける際には、メイン基板ボックス１０２を遊技盤２４に対して直角となる方向に沿って押し込んで下向きに約９０度回動させて係止爪１２０を係止ピン１１６に係止させるだけでよく、その係止を解除してからメイン基板ボックス１０２を上向きに約９０度回動させて引き抜くだけで取り外せる。よって、メイン基板ボックス１０２の着脱は極めて簡単である。なお、このメイン基板ボックス１０２の取付構造においては、係止ピン１１６と拘束部材１２６とで拘束手段が構成されている。
【００２６】
また、詳細の説明は省略するが、外部基板ボックス５０も支持腕１０６と同様の支持腕１３５にて回動可能かつ着脱可能に保持される構造で、コネクタ１３７の連結によって拘束され、取付けられる構造である。
【００２７】
以上のように、この実施例１のパチンコ機１０では、モータ基板ボックス６８、メイン基板ボックス１０２および外部基板ボックス５０の取付角度を変化させることができるので、これらの取付角度が固定されている場合に生じるさまざまな不都合を防止できる。
【００２８】
また、モータ基板ボックス６８、メイン基板ボックス１０２および外部基板ボックス５０の取付けに当たってボルトやビス類を用いておらず、これらの取付並びに取外しがきわめて簡単である。このため、パチンコ機１０の組立工数を低減できる。しかも、パチンコ機１０の廃棄に際してこれらの基板を簡単に取り外せるから、基板の再利用や廃棄時の分別作業が簡単であり、リサイクルの観点から極めて有益と言える。
【実施例２】
【００２９】
次に、実施例１とは異なる構造を採用してモータ基板ボックスの取付角度を多段階に変化可能とした例を説明する。なお、モータ基板ボックスの取付構造以外は実施例１と同様であるので図示および説明を省略する。
【００３０】
図５に示すように、この例のモータ基板ボックス２００は、いずれもプラスチック製の箱部２０２と蓋部２０４とからなり、その内部にはＩＣ等を実装したモータ制御基板２０６が収容されている。図６に示すように、箱部２０２には、ボリューム摘み２０８を挿通させるための孔２１０やコネクタ２１２ａ、２１２ｂ、２１２ｃを露呈させるための切欠２１４が設けられている。また、図５に示すように、箱部２０２の上下の面には軸受部となる小判状の長穴２１６と拘束手段の一部となる係合突起２１７が設けられている（図示は上側の面のみであるが下側の面にも同様の長穴２１６と係合突起２１７が鏡像となる位
置に設けられている）。一方、図７に示すように、蓋部２０４の外面には係止用突起２１８が立設されている。
【００３１】
図５に示すように、このモータ基板ボックス２００を保持するためのプラスチック製の保持部材２２０は、互いに対面する一対の保持腕２２２、保持腕２２２間に配された連結板２２４、連結板２２４から横方向に延出されたストッパ２２６からなっている。連結板２２４には、取付具（図示略）を挿通するための穴２２８と係止用突起２１８に対応する係止部材２３０が設けられており、取付具を介して実施例１の保持部材と同様に発射装置の本体側に取付けられている。
【００３２】
図５および図７に示すように、保持腕２２２には、長穴２１６の短径に整合する直径の回動軸２３２が立設されている。また、回動軸２３２を中心とする円弧に沿って、互いに同径の係合穴２３４ａ、２３４ｂ、２３４ｃ、２３４ｄ、２３４ｅが設けられている。係合穴２３４ａに連続して連通溝２３６が設けられ、その連通溝２３６の他端には係合穴２３４ａと同径の係合穴２３８が連続されている。これら係合穴２３４ａ、２３４ｂ、２３４ｃ、２３４ｄ、２３４ｅ、２３８は、係合突起２１７と共同して拘束手段として機能するが、その働きについては後述する。
【００３３】
さらに、係合穴２３４ｂ、２３４ｃ、２３４ｄ、２３４ｅには、それぞれ回動軸２３２側の一点（回動軸２３２ではない）を中心とする放射状の線に沿って保持腕２２２の外縁まで続く放射溝２４０ｂ、２４０ｃ、２４０ｄ、２４０ｅが連続されている。なお、図示は省略しているが、上側の保持腕２２２には、これら回動軸２３２、係合穴２３４ａ、２３４ｂ、２３４ｃ、２３４ｄ、２３４ｅ、連通溝２３６、係合穴２３８および放射溝２４０ｂ、２４０ｃ、２４０ｄ、２４０ｅと同様の構造が、鏡像となる位置に設けられている。
【００３４】
モータ基板ボックス２００は、図７および図８に示されるように保持部材２２０の保持腕２２２に保持される。これら図７と図８とでは、モータ基板ボックス２００の取付角度が９０度変化しているが、本実施例ではさらにその中間の角度とすることもできる。次に、図９〜図１３を参照して、この角度の変更について説明する。
【００３５】
まず、図９に示される状態は図７に対応しており、このとき、回動軸２３２は長穴２１６の図９（ａ）において上端側にあり、係合穴２３８に係合突起２１７が係合している。この係合穴２３８と係合突起２１７の係合とモータ基板ボックス２００が連結板２２４に接していることにより、モータ基板ボックス２００は回動を阻まれていて、拘束された状態にある。
【００３６】
この図９に示される状態から、モータ基板ボックス２００を連結板２２４から引き離す方向（図９（ａ）において上側）に引くと、係合突起２１７は係合穴２３８から外れ連通溝２３６に沿って移動し係合穴２３４ａと係合する。また、長穴２１６が相対移動して回動軸２３２は長穴２１６の図１０（ａ）において下端側になる。すなわち、図１０に示される状態になる。
【００３７】
この図１０に示される状態で、モータ基板ボックス２００を時計回り方向に回動させる力を及ぼせば、保持腕２２２が弾性変形して係合突起２１７と係合穴２３４ａとの係合が解除されるので、モータ基板ボックス２００を時計回り方向に回動させることができる。そして、例えば図１１に示されるように、係合突起２１７が係合穴２３４ｃと係合したところでモータ基板ボックス２００に及ぼしていた力を解除すれば、係合穴２３４ｃと係合突起２１７の係合により、モータ基板ボックス２００の回動を阻んで拘束した状態とできる。同様に、モータ基板ボックス２００の回動位置を、図１２や図１３に示される回動位
置にすることもできる。なお、モータ基板ボックス２００が図１３に示される位置になったときには、係止用突起２１８が係止部材２３０に当接し（互いの凹凸が嵌合し合い）、モータ基板ボックス２００のさらなる回動を防止する。
【００３８】
また、例えば図１１〜図１３に示されるように、係合突起２１７が係合穴２３４ｂ、２３４ｃ、２３４ｄ、２３４ｅのいずれかと係合しているときに、モータ基板ボックス２００を長穴２１６の長径方向に押せば、係合突起２１７を放射溝２４０ｂ、２４０ｃ、２４０ｄ、２４０ｅのいずれかに沿って移動させ保持腕２２２の外側に位置させることができる。すると、モータ基板ボックス２００の回動を阻害するものがなくなるから、モータ基板ボックス２００を簡単に回動させることができる。そして、係合突起２１７を放射溝２４０ｂ、２４０ｃ、２４０ｄ、２４０ｅのいずれかに合わせてから、モータ基板ボックス２００を長穴２１６の長径方向に引けば、係合突起２１７を放射溝２４０ｂ、２４０ｃ、２４０ｄ、２４０ｅのいずれかに沿わせて移動させ、その放射溝に連続しているいずれかの係合穴２３４ｂ、２３４ｃ、２３４ｄ、２３４ｅと係合させて、再びモータ基板ボックス２００の回動を阻んで拘束した状態とできる。
【００３９】
このように、モータ基板ボックス２００の回動位置を約９０度の範囲内で複数段階に変化させることができるから、例えば弾球遊技機の機種、他の部品の配置等に応じて適宜の角度でモータ基板ボックス２００の取付角度を変化可能であり、モータ基板ボックス２００の配置はもとより他の部品の配置においても自由度が飛躍的に高まる。
【００４０】
また、この実施例２においても実施例１と同様に、モータ基板ボックス２００の取付けに当たってボルトやビス類を用いておらず、取付並びに取外しがきわめて簡単である。このため、パチンコ機の組立工数を低減できる。しかも、パチンコ機の廃棄に際してモータ基板ボックス２００を簡単に取り外せるから、基板の再利用や廃棄時の分別作業が簡単であり、リサイクルの観点から極めて有益と言える。
［変形例］
【００４１】
この実施例２の構成において、さらに図１４および図１５に示されるような構成を採用することもできる。すなわち、モータ基板ボックス２００ａの側面に開口３００を設け、モータ制御基板２０６ａに実装されたコネクタ３０２を開口３００に臨ませている。そして、モータ基板ボックス２００ａの外部には、コネクタ３０２と対になるコネクタ３０４を配置している。このように構成すれば、モータ基板ボックス２００ａを図１４に示される回動位置として、長穴２１６の長径方向に沿って移動させることにより、図１５に示されるようにコネクタ３０２とコネクタ３０４とを連結することができる。したがって、コネクタ３０２に例えばフラットケーブル等を接続する必要はなくなるので、こうしたフラットケーブル等からのノイズの進入を防止できる。また、フラットケーブル等が不要となることで、配線間違いを防止できるし、コストの低減にもなる。
【００４２】
なお、上記実施例２および変形例では、係合突起２１７、係合穴２３４ａ、２３４ｂ、２３４ｃ、２３４ｄ、２３４ｅおよび係合穴２３８が拘束手段として機能しており、変形例の場合は、コネクタ３０２およびコネクタ３０４も拘束手段を兼ねている。
【００４３】
以上、実施例および変形例に従って、本発明の実施の形態について説明したが、本発明はこれらの例に限定されるものではなく、本発明の要旨を逸脱しない範囲でさまざまに実施できることは言うまでもない。
【図面の簡単な説明】
【００４４】
【図１】実施例１のパチンコ機の正面図である。
【図２】実施例１のパチンコ機の背面図である。
【図３】実施例１のパチンコ機の発射装置の説明図であり、図３（ａ）は発射装置の斜視図、図３（ｂ）はモータ基板ボックスの斜視図、図３（ｃ）は保持部材の斜視図である。
【図４】実施例１のパチンコ機のメイン基板ボックスの着脱の説明図であり、図４（ａ）は取付け（または取外し）途中の側面図、図４（ｂ）は取付けた状態の側面図である。
【図５】実施例２のモータ基板ボックスの分解斜視図である。
【図６】実施例２のモータ基板ボックスの正面図である。
【図７】実施例２のモータ基板ボックスを保持部材にて保持した状態の透視図である。
【図８】実施例２のモータ基板ボックスを保持部材にて保持し９０度回動した状態の斜視図である。
【図９】実施例２のモータ基板ボックスを回動不能に拘束した状態の回動軸と長穴の位置関係および係合穴と係合突起の係合関係の説明図であり、図９（ａ）は平面方向の説明図、図９（ｂ）は断面図である。
【図１０】図９の状態からモータ基板ボックスを引き出した状態での回動軸と長穴の位置関係および係合穴と係合突起の係合関係の説明図であり、図１０（ａ）は平面方向の説明図、図１０（ｂ）は断面図である。
【図１１】図１０の状態からモータ基板ボックスを回動させた状態での回動軸と長穴の位置関係および係合穴と係合突起の係合関係の説明図である。
【図１２】図１１の状態からモータ基板ボックスを回動させた状態での回動軸と長穴の位置関係および係合穴と係合突起の係合関係の説明図である。
【図１３】モータ基板ボックスを最大に回動させた状態での回動軸と長穴の位置関係および係合穴と係合突起の係合関係の説明図である。
【図１４】変形例においてコネクタの連結を解除した状態の平面方向の説明図である。
【図１５】変形例においてコネクタを連結した状態の平面方向の説明図である。
【符号の説明】
【００４５】
１０…パチンコ機（弾球遊技機）、２４…遊技盤、
２００…モータ基板ボックス（基板ボックス）、２０６…モータ制御基板（回路基板）、２１６…長穴（軸受部）、２１７…係合突起（拘束手段）、２１８…係止用突起、２２０…保持部材、２２２…保持腕、２３２…回動軸、２３４ａ〜２３４ｄ…係合穴（拘束手段）、２３６…連通溝、２３８…係合穴（拘束手段）、２４０ｂ〜２４０ｄ…放射溝、
２００ａ…モータ基板ボックス（基板ボックス）、２０６ａ…モータ制御基板（回路基板）、３０２…コネクタ、３０４…コネクタ。
【図１】
2005021721.tif 000003
【図２】
2005021721.tif 000004
【図３】
2005021721.tif 000005
【図４】
2005021721.tif 000006
【図５】
2005021721.tif 000007
【図６】
2005021721.tif 000008
【図７】
2005021721.tif 000009
【図８】
2005021721.tif 000010
【図９】
2005021721.tif 000011
【図１０】
2005021721.tif 000012
【図１１】
2005021721.tif 000013
【図１２】
2005021721.tif 000014
【図１３】
2005021721.tif 000015
【図１４】
2005021721.tif 000016
【図１５】
2005021721.tif 000017